【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
プロセス制御プラントを動作させるためのシステムであって、
共通の形式を用いて、構成データ、計測データ、バッチデータ、連続データ、及びイベントデータから選択される複数のタイプのプロセスデータを含む、プロセスプラントに対応するプロセスデータを格納するように構成された、１つ以上のデータストレージデバイスを含むユニット式の論理データストレージ領域と、
前記ユニット式の論理データストレージ領域に結合され、１つ以上のユーザインターフェースを通じて前記データストレージ領域上に格納される前記プロセスデータに関係した１つ以上の機能を提供するように動作可能なサーバと、
前記サーバに通信可能に結合され、前記サーバを介して前記プロセスデータにアクセスするように動作可能な第１のユーザインターフェースデバイスであり、前記第１のユーザインターフェースデバイス上で実行する前記ユーザインターフェースの状態を示す状態情報をサーバ上に維持する、第１のユーザインターフェースデバイスと、
前記サーバに通信可能に結合され、前記サーバを介して前記プロセスデータ及び状態情報にアクセスし、且つ前記第１のユーザインターフェースデバイス上で実行する前記ユーザインターフェースの状態を示す前記状態情報に従って前記第２のユーザインターフェースデバイス上でユーザインターフェースを実行するように動作可能な、第２のユーザインターフェースデバイスと、
を備えるシステム。
【請求項２】
前記第１のユーザインターフェースデバイスからの前記状態情報を前記サーバ上に格納すること及び第２のユーザインターフェースデバイス上で前記状態情報にアクセスすることによって、システムが、
（ａ）異なるユーザ間の２つのユーザインターフェースデバイス上での協同、
（ｂ）前記２つのユーザインターフェースデバイスにわたる１人のユーザの移動性、
（ｃ）前記プロセスプラント内のユーザの場所のデバイスアウェアネス、
（ｄ）特定のプロセスプラント機器とのユーザ近接性のデバイスアウェアネス、
のうちの１つ以上を容易にする、請求項１に記載のシステム。
【請求項３】
前記状態情報にアクセスすると、前記第２のユーザインターフェースデバイスが、前記状態情報に従って及び前記第２のユーザインターフェースデバイスに関連するデバイスタイプに従って表示を構成する、請求項１または２に記載のシステム。
【請求項４】
前記第１のユーザインターフェースデバイスと前記第２のユーザインターフェースデバイスが互いを相互に検出し、且つ同じユーザが両方の前記デバイスにログインされるとき、
または、
前記第１のユーザインターフェースによる前記サーバへの前記第２のユーザインターフェースデバイスに前記状態情報を渡す命令時に、
前記第２のユーザインターフェースデバイスが前記状態情報にアクセスする、請求項１〜３のいずれか一項に記載のシステム。
【請求項５】
前記第２のユーザインターフェースデバイスがモバイルデバイスであり、
前記第１のユーザインターフェースデバイスがワークステーションまたはモバイルデバイスである、
請求項１〜４のいずれか一項に記載のシステム。
【請求項６】
場所アウェアネスコンポーネントをさらに備え、
前記第２のユーザインターフェースデバイスが、前記場所アウェアネスコンポーネントから信号を受信し、前記場所アウェアネスコンポーネントから受信した信号に従って１つ以上の第２のルーチンの実行を修正するように動作可能であることと、
前記場所アウェアネスコンポーネントが、前記第２のユーザインターフェースから信号を受信し、前記場所アウェアネスコンポーネントから受信した信号に従って前記１つ以上のルーチンの実行を前記第２のユーザインターフェースデバイスにネットワークを介して修正させるように動作可能であること、
の少なくとも１つを満たす、
請求項１〜５のいずれか一項に記載のシステム。
【請求項７】
前記１つ以上のルーチンの実行を修正することが、
（ａ）前記第２のユーザインターフェースデバイスが存在する前記プロセスプラントの領域を強調表示すること、
（ｂ）前記第２のユーザインターフェースデバイスの所定の距離内の特定のデバイスについての情報を表示すること、
（ｃ）前記第２のユーザインターフェースデバイスが存在する前記プロセスプラントの領域におけるデバイスに該当するアラームを表示すること、
（ｄ）前記第２のユーザインターフェースデバイスが存在する前記プロセスプラントの領域におけるデバイスに関する作業項目を表示すること、
のうちの１つを含む、請求項６に記載のシステム。
【請求項８】
機器アウェアネスコンポーネントをさらに備え、
前記第２のユーザインターフェースデバイスが、前記機器アウェアネスコンポーネントから信号を受信し、前記機器アウェアネスコンポーネントから受信した信号に従って１つ以上の第２のルーチンの実行を修正するように動作可能である、
請求項１〜７のいずれか一項に記載のシステム。
【請求項９】
前記機器アウェアネスコンポーネントが、送信器に関連する機器を識別する無線信号を前記第２のユーザインターフェースデバイスに伝送する送信器を備える、請求項８に記載のシステム。
【請求項１０】
前記１つ以上のルーチンの実行を修正することが、
（ａ）前記受信した信号に関連するプロセスプラント機器をディスプレイ上に強調表示すること、
（ｂ）前記受信した信号に関連する特定のデバイスについての情報を前記第２のユーザインターフェースデバイス上に表示すること、
（ｃ）前記受信した信号に関連する前記デバイスに該当するアラームを表示すること、又は
（ｄ）前記受信した信号に関連する前記デバイスに関する作業項目を表示すること、
のうちの１つを含む、請求項８に記載のシステム。
【請求項１１】
プロセスプラントを動作させる方法であって、
プロセスデータを格納するデータベースに通信可能に結合されるサーバを提供することと、
第１のユーザプロフィールに関連する第１のユーザインターフェースデバイスでサーバにアクセスすることと、
前記第１のユーザインターフェースデバイスを用いて、前記プロセスプラントにおける機能を行うことと、
前記第１のユーザプロフィールに関連する第２のユーザインターフェースデバイスで前記サーバへのアクセスを要求することと、
前記第１のユーザインターフェースデバイスの状態に関連する状態情報を格納することと、
前記格納した状態情報に従って前記第２のユーザインターフェースデバイスに前記サーバへのアクセスを提供することと、
前記第２のユーザインターフェースデバイスを用いて、前記プロセスプラントにおける機能を行うことと、
を含む、方法。
【請求項１２】
前記格納した状態情報に従って前記第２のユーザインターフェースデバイスに前記サーバへのアクセスを提供することが、
（ａ）異なるユーザ間の２つのユーザインターフェースデバイス上での協同、
（ｂ）前記２つのユーザインターフェースデバイスにわたる１人のユーザの移動性、
（ｃ）前記プロセスプラント内のユーザの場所のデバイスアウェアネス、
（ｄ）特定のプロセスプラント機器とのユーザ近接性のデバイスアウェアネス、
のうちの１つを容易にすることを含む、請求項１１に記載の方法。
【請求項１３】
前記格納した状態情報に従って前記第２のユーザインターフェースデバイスに前記サーバへのアクセスを提供することが、
前記第１のユーザインターフェースデバイスと前記第２のユーザインターフェースデバイスが互いとの所定の近接性の範囲内にあることを検出することと、
前記第１のユーザインターフェースデバイスと前記第２のユーザインターフェースデバイスが互いとの近接性の範囲内にあることを検出する結果として、前記格納した状態情報に従って前記第２のユーザインターフェースデバイスに前記サーバへのアクセスを提供すること、
または、
前記格納した状態情報に従って前記第２のユーザインターフェースデバイスに前記サーバへのアクセスを提供する前記第１のユーザインターフェースデバイスからの命令を前記サーバで受信すること、
を含む、
請求項１１または１２に記載の方法。
【請求項１４】
前記第２のユーザインターフェースデバイスがモバイルデバイスであり、
前記第１のユーザインターフェースデバイスがワークステーションまたはモバイルデバイスである、
請求項１１〜１３のいずれか一項に記載の方法。
【請求項１５】
（ｉ）特定のデバイス又は場所との前記第２のユーザインターフェースデバイスの近接性を示す信号を前記第２のユーザインターフェースデバイスで受信することと、
前記受信した信号に従って１つ以上の第２のルーチンの実行を修正すること、
または、
（ｉｉ）特定のデバイス又は場所との前記第２のユーザインターフェースデバイスの近接性を示す信号を前記第２のユーザインターフェースデバイスから場所アウェアネスコンポーネントに伝送することと、
前記伝送された信号に応答して、ネットワークを介して前記第２のユーザインターフェースデバイスに結合されたサーバから前記デバイス又は場所に特徴的な情報を受信すること、
をさらに含む、請求項１１〜１４のいずれか一項に記載の方法。
【請求項１６】
前記デバイス又は場所に近接しているときに、前記第２のユーザインターフェースデバイス上で、
（ａ）前記第２のユーザインターフェースデバイスが存在する前記プロセスプラントの領域を強調表示する行為、
（ｂ）前記第２のユーザインターフェースデバイスの所定の距離内の特定のデバイスについての情報を表示する行為、
（ｃ）前記第２のユーザインターフェースデバイスが存在する前記プロセスプラントの領域におけるデバイスに該当するアラームを表示する行為、
（ｄ）前記第２のユーザインターフェースデバイスが存在する前記プロセスプラントの領域におけるデバイスに関する作業項目を表示する行為、
（ｅ）前記受信した信号に関連するプロセスプラント機器をディスプレイ上に強調表示する行為、
（ｆ）前記受信した信号に関連する特定のデバイスについての情報を前記第２のユーザインターフェースデバイス上に表示する行為、
（ｇ）前記受信した信号に関連する前記デバイスに該当するアラームを表示する行為、又は
（ｈ）前記受信した信号に関連する前記デバイスに関する作業項目を表示する行為、
のうちの１つを実行することをさらに含む、請求項１１〜１５のいずれか一項に記載の方法。